(57)【要約】【課題】広告サービスを円滑に運用・管理できる広告配信機能付きＰＯＳシステムを提供すること。【解決手段】このＰＯＳシステムの場合、広告主業者側に設置されてネットワーク９０を介してＰＯＳ端末１０及び本部端末２０に接続されると共に、端末２０から指定される広告配信設定指示に従って端末１０に対して広告用配信設定を行う広告主端末３０が備えられ、端末２０では端末３０からの広告用配信設定に応じて必要な広告表示用情報を生成して端末１０へ送信し、端末１０では端末２０から送信された広告表示用情報を受信すると共に、この広告表示用情報に基づいて端末３０から取得した広告データを表示パネルに広告として表示し、端末１０へ配信される広告データに関しての広告データ要求数を端末３０及び端末２０の両方で事前に集計する。【選択図】　　　図１
2004030115.tif 000002
【特許請求の範囲】
【請求項１】
店舗に設置されて販売時点情報を管理すると共に、該販売時点情報を付設された表示パネルに表示可能なＰＯＳ端末と、管理本部側に設置されて前記ＰＯＳ端末に対してネットワークを介して接続されると共に、該ＰＯＳ端末から該ネットワークを介して送信された該販売時点情報を受信して統括的に管理する本部端末とを備えたＰＯＳシステムにおいて、広告主業者側に設置されて前記ネットワークを介して前記ＰＯＳ端末及び前記本部端末に接続されると共に、該ネットワークを介してアクセスした該本部端末から該ネットワークを介して指定される広告配信設定指示に従って該ＰＯＳ端末に対する広告用配信設定を行う広告主端末を備え、前記本部端末では、前記広告主端末からの前記ネットワークを介しての前記広告用配信設定に応じて必要な広告表示用情報を生成して該ネットワークを介して前記ＰＯＳ端末へ送信し、前記ＰＯＳ端末では、前記ネットワークを介して前記本部端末から送信された前記広告表示用情報を受信すると共に、該広告表示用情報に基づいて該ネットワークを介して前記広告主端末から取得した広告データを前記表示パネルに広告として表示することを特徴とする広告配信機能付きＰＯＳシステム。
【請求項２】
請求項１記載の広告配信機能付きＰＯＳシステムにおいて、前記広告主端末では、前記ネットワークを介しての前記広告用配信設定に際して予め前記ＰＯＳ端末を識別して選定するための識別情報の入力設定を含み、前記本部端末では、前記ネットワークを介して前記広告主端末から伝送された前記識別情報に基づいて広告用配信先店舗リストを生成すると共に、該広告用配信先店舗リストに基づいて前記ＰＯＳ端末の該当するものに対して該ネットワークを介して前記広告表示用情報を送信し、前記ＰＯＳ端末にあっての前記本部端末から前記ネットワークを介して前記広告表示用情報を送信されたものが該広告表示用情報を受信することを特徴とする広告配信機能付きＰＯＳシステム。
【請求項３】
請求項２記載の広告配信機能付きＰＯＳシステムにおいて、前記ＰＯＳ端末にあっての前記本部端末から前記ネットワークを介して前記広告表示用情報を送信されたものは、該広告表示用情報に従って該ネットワークを介して前記広告主端末に対して広告用データ要求を送信し、前記広告主端末では、前記広告用データ要求を前記ネットワークを介して受信した後に該広告用データ要求数を集計することを特徴とする広告配信機能付きＰＯＳシステム。
【請求項４】
請求項３記載の広告配信機能付きＰＯＳシステムにおいて、前記広告主端末では、前記広告用データ要求数の集計後に該広告用データ要求があったことを前記ネットワークを介して前記本部端末へ通知し、前記本部端末では、前記広告主端末からの前記ネットワークを介しての前記広告用データ要求の通知に応じて該広告用データ要求数を集計することを特徴とする広告配信機能付きＰＯＳシステム。
【請求項５】
請求項４記載の広告配信機能付きＰＯＳシステムにおいて、前記広告主端末では、前記広告用データ要求があったことを前記本部端末へ通知した後、前記広告データを前記ネットワークを介して前記ＰＯＳ端末にあっての該広告用データ要求を行ったものへ送信し、前記ＰＯＳ端末にあっての前記広告用データ要求を行ったものは、前記広告データを受信して一時的に記憶して蓄えることを特徴とする広告配信機能付きＰＯＳシステム。
【請求項６】
請求項５記載の広告配信機能付きＰＯＳシステムにおいて、前記ＰＯＳ端末にあっての前記広告用データ要求を行ったものは、前記広告データの一時的に記憶して蓄えたものを前記表示パネルに広告として表示することを特徴とする広告配信機能付きＰＯＳシステム。
【発明の詳細な説明】
【０００１】
【発明の属する技術分野】
本発明は、主として店舗に設置されて販売時点情報を管理するＰＯＳ（ｐｏｉｎｔ　ｏｆ　ｓａｌｅｓ）端末に対してその販売時点情報を統括的に管理するための管理本部側に設置される本部端末をネットワークを介して接続して構成されるＰＯＳシステムであって、詳しくはＰＯＳ端末の表示パネルへ表示すべき広告を配信して広告表示を行う広告配信機能付きＰＯＳシステムに関する。
【０００２】
【従来の技術】
従来、一般的なＰＯＳシステムの場合、複数箇所の店舗に設置されて販売時点情報を管理するＰＯＳ端末に対してその販売時点情報を統括的に管理するための管理本部側に設置される本部端末がインターネット等のネットワークを介して接続された構成となっている。
【０００３】
このＰＯＳシステムにおいて、ＰＯＳ端末に付設される表示パネルへ広告を表示する場合、管理本部側の本部端末で広告配信を代行するコンビニエンスストア等の業者が作成した広告データをその広告配信の条件である配信時間帯や対象地域等を決定した上で広告として表示動作処理制御設定を行うようになっている。尚、ここでの広告配信の条件情報は、通常特定の契約期間中のみを有効としており、広告配信を代行する業者が予め広告データを作成・管理するものとした上で管理本部側の本部端末を利用するようになっている。
【０００４】
因みに、このようなＰＯＳシステムの基本機能に関連するか、或いは適用可能な周知技術としては、例えば特開平１０−２０７９５７号公報に開示された画像表示システム、特開平１０−２４７２８７号公報に開示された映像表示システム、特開２０００−２８５３１９号公報に開示されたグラフィック式情報入力端末及び商品販売登録装置、或いは特願２０００−１８３９０８号で提案されたインターネットを利用した広告実施システム、特願２００１−２４６６９２号で提案された広告依頼サーバ、方法及びプログラム等があげられる。
【０００５】
【発明が解決しようとする課題】
上述したＰＯＳシステムの場合、ＰＯＳ端末の表示パネルへ広告を表示する機能を持たせるために業者が予め広告データを作成・管理するものとした上で管理本部側の本部端末で特定の契約期間中において表示動作処理制御設定を行うものであるため、業者が広告の配信状況をリアルタイムで確認できないばかりでなく、広告配信の条件である配信時間帯や対象地域等を契約期間中は変更できないという不便がある上、管理本部側とは無関係に広告データの作成・管理を負担する必要があることにより手間がかかり、結果として広告サービスを円滑に運用・管理できないという問題がある。
【０００６】
本発明は、このような問題点を解決すべくなされたもので、その技術的課題は、広告サービスを円滑に運用・管理できる広告配信機能付きＰＯＳシステムを提供することにある。
【０００７】
【課題を解決するための手段】
本発明によれば、店舗に設置されて販売時点情報を管理すると共に、該販売時点情報を付設された表示パネルに表示可能なＰＯＳ端末と、管理本部側に設置されてＰＯＳ端末に対してネットワークを介して接続されると共に、該ＰＯＳ端末から該ネットワークを介して送信された該販売時点情報を受信して統括的に管理する本部端末とを備えたＰＯＳシステムにおいて、広告主業者側に設置されてネットワークを介してＰＯＳ端末及び本部端末に接続されると共に、該ネットワークを介してアクセスした該本部端末から該ネットワークを介して指定される広告配信設定指示に従って該ＰＯＳ端末に対する広告用配信設定を行う広告主端末を備え、本部端末では、広告主端末からのネットワークを介しての広告用配信設定に応じて必要な広告表示用情報を生成して該ネットワークを介してＰＯＳ端末へ送信し、ＰＯＳ端末では、ネットワークを介して本部端末から送信された広告表示用情報を受信すると共に、該広告表示用情報に基づいて該ネットワークを介して該広告主端末から取得した広告データを表示パネルに広告として表示する広告配信機能付きＰＯＳシステムが得られる。
【０００８】
又、本発明によれば、上記広告配信機能付きＰＯＳシステムにおいて、広告主端末では、ネットワークを介しての広告用配信設定に際して予めＰＯＳ端末を識別して選定するための識別情報の入力設定を含み、本部端末では、ネットワークを介して広告主端末から伝送された識別情報に基づいて広告用配信先店舗リストを生成すると共に、該広告用配信先店舗リストに基づいてＰＯＳ端末の該当するものに対して該ネットワークを介して広告表示用情報を送信し、ＰＯＳ端末にあっての本部端末からネットワークを介して広告表示用情報を送信されたものが該広告表示用情報を受信する広告配信機能付きＰＯＳシステムが得られる。
【０００９】
更に、本発明によれば、上記広告配信機能付きＰＯＳシステムにおいて、ＰＯＳ端末にあっての本部端末からネットワークを介して広告表示用情報を送信されたものは、該広告表示用情報に従って該ネットワークを介して広告主端末に対して広告用データ要求を送信し、広告主端末では、広告用データ要求をネットワークを介して受信した後に該広告用データ要求数を集計する広告配信機能付きＰＯＳシステムが得られる。
【００１０】
加えて、本発明によれば、上記広告配信機能付きＰＯＳシステムにおいて、広告主端末では、広告用データ要求数の集計後に該広告用データ要求があったことをネットワークを介して本部端末へ通知し、本部端末では、広告主端末からのネットワークを介しての広告用データ要求の通知に応じて該広告用データ要求数を集計する広告配信機能付きＰＯＳシステムが得られる。
【００１１】
一方、本発明によれば、上記広告配信機能付きＰＯＳシステムにおいて、広告主端末では、広告用データ要求があったことを本部端末へ通知した後、広告データをネットワークを介してＰＯＳ端末にあっての該広告用データ要求を行ったものへ送信し、ＰＯＳ端末にあっての広告用データ要求を行ったものは、広告データを受信して一時的に記憶して蓄える広告配信機能付きＰＯＳシステムが得られる。
【００１２】
他方、本発明によれば、上記広告配信機能付きＰＯＳシステムにおいて、ＰＯＳ端末にあっての広告用データ要求を行ったものは、広告データの一時的に記憶して蓄えたものを表示パネルに広告として表示する広告配信機能付きＰＯＳシステムが得られる。
【００１３】
【発明の実施の形態】
以下に本発明の実施の形態について、図面を参照して詳細に説明する。
【００１４】
図１は、本発明の一つの実施の形態に係る広告配信機能付きＰＯＳシステムの基本構成を示した簡易ブロック図である。この広告配信機能付きＰＯＳシステムは、従来通りの構成部分、即ち、複数箇所の店舗に設置されて販売時点情報を管理すると共に、この販売時点情報を付設された表示パネルに表示可能なＰＯＳ端末１０と、管理本部側に設置されてＰＯＳ端末１０に対してインターネット等のネットワーク９０を介して接続されると共に、ＰＯＳ端末１０からネットワーク９０を介して送信された販売時点情報を受信して統括的に管理する本部端末２０とを備える以外、広告主業者側に設置されてネットワーク９０を介してＰＯＳ端末１０及び本部端末２０に接続されると共に、ネットワーク９０を介してアクセスした本部端末２０からネットワーク９０を介して指定される広告配信設定指示に従ってＰＯＳ端末１０に対する広告用配信設定を行う広告主端末３０を備えており、これによって本部端末２０では、広告主端末３０からのネットワーク９０を介しての広告用配信設定に応じて必要な広告表示用情報（表示する広告や広告データを持つ広告主端末３０のＩＰアドレス等）を生成してネットワーク９０を介してＰＯＳ端末１０へ送信し、ＰＯＳ端末１０では、ネットワーク９０を介して本部端末２０から送信された広告表示用情報を受信すると共に、この広告表示用情報に基づいてネットワーク９０を介して広告主端末３０から取得した広告データを表示パネルに広告として表示するように構成されている。
【００１５】
このうち、ＰＯＳ端末１０は、ネットワーク９０を介して購入者により売上げされた各商品情報，顧客の性別や年齢等の売上情報である販売時点情報を付設された表示パネルに表示可能であると共に、販売時点情報を記憶して本部端末２０へ送信する機能を備える他、ネットワーク９０を介して本部端末２０から送信された広告表示用情報を受信し、この広告表示用情報に基づいて広告主端末３０からネットワーク９０を介して送信された広告データを受信した上で広告として表示パネルに表示する機能を備えている。
【００１６】
本部端末２０は、チェーン展開するコンビニエンスストア等の業者により使用されているワークステーション・サーバー等の表示装置を含む情報処理装置によって構成されるもので、ＰＯＳ端末１０からネットワーク９０を介して送信された売上情報等を含む販売時点情報を受信して店舗全体での統括的な管理を行い、地域別，時間別，年齢別等の顧客データを生成する機能を備える他、ネットワーク９０を介して広告主端末３０からのアクセスに応じて広告用配信設定を行わせ、それによる広告用配信設定に応じて必要な広告表示用情報を生成してネットワーク９０を介してＰＯＳ端末１０へ送信する機能と、広告表示用情報の送信に際して広告用配信設定に含まれる広告配信条件に基づいて広告用配信先店舗リストを生成し、その広告用配信先店舗リストに基づいてＰＯＳ端末１０の該当するものを選定する機能と、ＰＯＳ端末１０により広告主端末３０に対してネットワーク９０を介して広告用データ要求があったことをネットワーク９０を介して広告主端末３０から通知されると広告用データ要求数を集計（カウント）する機能とを備えている。
【００１７】
広告主端末３０は、パーソナルコンピュータ等の表示装置を含む情報処理装置で構成されるもので、本部端末２０に対するネットワーク９０を介してのアクセスにより指定される広告配信設定指示に従ってＰＯＳ端末１０に対する広告用配信設定を行い、このときの広告主により入力される広告配信条件（顧客層，配信時間帯，対象地域等）をネットワーク９０を介して本部端末２０へ送信する機能と、ＰＯＳ端末１０に対してネットワーク９０を介して本部端末２０とは無関係で広告データを送信する機能と、ＰＯＳ端末１０からネットワーク９０を介して広告用データ要求があったときにその広告用データ要求数を集計（カウント）する機能と、ＰＯＳ端末１０からネットワーク９０を介して広告用データ要求があったときにその旨をネットワーク９０を介して本部端末２０へ通知する機能とを備えている。
【００１８】
図２は、この広告配信機能付きＰＯＳシステムにおける動作処理のシーケンスを例示したものである。尚、この図１に示した広告配信機能付きＰＯＳシステムでは、上述したようにＰＯＳ端末１０，本部端末２０，及び広告主端末３０の各部がネットワーク９０を介して相互に接続されており、これらの各部が相互にネットワーク９０を介して通信動作処理が可能であるため、以下の動作処理ではネットワーク９０の介在部分の説明を省略するものとする。
【００１９】
ここでは、先ず店舗に設置されたＰＯＳ端末１０において、購入者により売上げされた各商品情報，顧客の性別や年齢等の売上情報（販売時点情報）を一時的に記憶して本部端末２０（本部サーバ）に送信（ステップＳ１）し、これに応答して本部端末２０ではＰＯＳ端末１０の全店舗からの売上情報（販売時点情報）を受信（ステップＳ２）すると、売上情報（販売時点情報）を統括的に管理するために時間帯別顧客データ，地域別顧客データ，年齢別顧客データ等の集計データを生成（ステップＳ３）する。ここまでの処理はＰＯＳ端末１０及び本部端末２０の間を対象にした通常の処理である。
【００２０】
次に、広告配信機能に関して、広告主端末３０では、本部端末２０にアクセス（ステップＳ４）すると、これに応答して本部端末２０では接続及び広告配信の条件を設定（広告配信設定指示）するために必要な認証情報、配信条件の入力画面を広告主端末３０に送信（ステップＳ５）し、広告主端末３０では表示装置の表示画面上に受信した認証情報、配信条件の入力画面を表示（ステップＳ６）し、この画面に対して必要事項として識別情報（暗証番号等）の入力と広告配信の条件の設定（ステップＳ７）を行う。因みに、この必要事項の入力では、図３に示される広告主端末３０の表示装置の表示画面上に表示される広告配信条件設定の模式図を参照すれば、表示画面上における広告配信条件設定の表示に対して必要事項の入力を決定ボタンをマウスでクリックして決定ボタンを押下するものとして行えば良いものである。
【００２１】
識別情報の入力と広告配信の条件の設定（ステップＳ７）が済むと、本部端末２０では識別情報に基づいて認証を実施（ステップＳ８）し、認証がされたら、広告配信の条件を受付けたことを広告主端末３０に対して通知（ステップＳ９）し、広告主端末３０では受付けたことを表示（ステップＳ１０）する。
【００２２】
このとき、本部端末１０では、識別情報に基づいて広告用配信先店舗リストを生成（ステップＳ１１）すると共に、広告用配信先店舗リストに基づいて、広告用配信設定に応じて生成した必要な広告表示用情報をＰＯＳ端末１０の該当するものに対して送信（ステップＳ１２）し、ＰＯＳ端末１０では広告表示用情報を受信（ステップＳ１３）する。
【００２３】
そこで、ＰＯＳ端末１０では、広告表示用情報に従って広告用データ要求を広告主端末３０（広告主サーバ）に送信（ステップＳ１４）する。広告主端末３０では、広告用データ要求を受信（ステップＳ１５）すると、これに応答して広告用データ要求数を集計（ステップＳ１６）、これに合わせて広告用データ要求があったことを本部端末２０に対して通知（ステップＳ１７）する。本部端末２０では広告主端末３０から広告用データ要求があったことを通知されると、広告用データ要求数を集計（ステップＳ１８）する。
【００２４】
更に、広告主端末３０では、広告用データ要求があったことを通知（ステップＳ１７）した後、広告主業者側が予め用意した広告データをＰＯＳ端末１０へ送信（ステップＳ１９）し、ＰＯＳ端末１０では広告データを受信して、一時的に記憶（ステップＳ２０）して蓄えてから表示パネルに広告として表示（ステップＳ２１）する。
【００２５】
即ち、この広告配信機能付きＰＯＳシステムの場合、広告主業者側に設置された広告主端末３０がネットワーク９０を介して管理本部側に設置された本部端末２０へアクセスすることで広告用配信設定を行うものとし、本部端末２０が広告用配信設定に応じて必要な広告表示用情報を生成してネットワーク９０を介してＰＯＳ端末１０へ送信すると共に、ＰＯＳ端末１０からの広告表示用情報に従った広告用データ要求に応じて広告主端末３０がネットワーク９０を介してＰＯＳ端末１０に広告データを配信することでＰＯＳ端末１０においてその広告データを表示パネル上に広告として表示させ、しかもＰＯＳ端末１０へ配信される広告データに関しての広告データ要求数を広告主端末３０及び本部端末２０の両方で事前に集計する構成としているため、広告主業者側及び管理本部側の双方でＰＯＳ端末１０へ配信した広告データの件数をリアルタイムで知ることができ、しかも広告主業者側がリアルタイムで広告の配信条件を変更することができる上、予め広告データを作成・管理するものとする必要がなくなる。
【００２６】
【発明の効果】
以上に述べた通り、本発明の広告配信機能付きＰＯＳシステムによれば、広告主業者側に設置された広告主端末がネットワークを介して管理本部側に設置された本部端末へアクセスすることで広告用配信設定を行うものとし、本部端末が広告用配信設定に応じて必要な広告表示用情報を生成してネットワークを介してＰＯＳ端末へ送信すると共に、ＰＯＳ端末からの広告表示用情報に従った広告用データ要求に応じて広告主端末がネットワークを介してＰＯＳ端末に広告データを配信することでＰＯＳ端末においてその広告データを表示パネル上に広告として表示させ、しかもＰＯＳ端末へ配信される広告データに関しての広告データ要求数を広告主端末及び本部端末の両方で事前に集計する構成としているため、広告主業者側及び管理本部側の双方でＰＯＳ端末へ配信した広告データの件数をリアルタイムで知ることができ、しかも広告主業者側がリアルタイムで広告の配信条件を変更することができる上、予め広告データを作成・管理するものとする必要がなくなることにより、結果として広告サービスを円滑にして合理的に運用・管理できるようになる。
【図面の簡単な説明】
【図１】本発明の一つの実施の形態に係る広告配信機能付きＰＯＳシステムの基本構成を示した簡易ブロック図である。
【図２】図１に示す広告配信機能付きＰＯＳシステムにおける動作処理のシーケンスを例示したものである。
【図３】図１に示す広告配信機能付きＰＯＳシステムに備えられる広告主端末の表示装置の表示画面上に表示される広告配信条件設定を例示した模式図である。
【符号の説明】
１０　ＰＯＳ端末
２０　本部端末
３０　広告主端末
９０　ネットワーク
【図１】
2004030115.tif 000003
【図２】
2004030115.tif 000004
【図３】
2004030115.tif 000005